(57)【要約】      （修正有）【課題】内容物に影響を受けない、耐内容物性の高いエアゾール容器の内筒に関し、第１剤と第２剤の内筒の材質を統一化することにより、生産性の向上を図ると共に、成形性及び製造コストの低減を図るエアゾール容器の内筒を提供する。【解決手段】内部に、染毛剤第１剤または脱色剤第１剤を充填した内筒３を有する第１剤容器２１と、染毛剤第２剤または脱色剤第２剤を充填した内筒３を有する第２剤容器２２が同時に内装され、前記２種類の充填物を同時に抽出させる排出口２４を持つことを特徴とする一体容器において、前記第１剤容器２１および第２剤容器２２の内筒３が、直鎖状低密度ポリエチレンに、高分子系の酸化防止剤を混合した合成樹脂で構成されることを特徴とする２連式エアゾール容器２０の内筒３とした。【選択図】        図２
2005015017.tif 000002
【特許請求の範囲】
【請求項１】
内筒が、直鎖状低密度ポリエチレンに、高分子系の酸化防止剤を混合した合成樹脂で構成されることを特徴とするエアゾール容器の内筒。
【請求項２】
内部に、染毛剤第１剤または脱色剤第１剤を充填した内筒を有する第１剤容器と、染毛剤第２剤または脱色剤第２剤を充填した内筒を有する第２剤容器が同時に内装され、前記２種類の充填物を同時に抽出させる排出口を持つことを特徴とする一体容器において、前記第１剤容器および第２剤容器の内筒が、直鎖状低密度ポリエチレンに、高分子系の酸化防止剤を混合した合成樹脂で構成されることを特徴とする２連式エアゾール容器の内筒。
【発明の詳細な説明】
【０００１】
【発明の属する技術分野】
この発明は、経時的劣化を防止したエアゾール容器の内筒に関し、さらに詳しくは第１剤と第２剤の内筒の材質を統一化することにより、生産効率の向上を図ると共に、成形性及び製造コストの低減を目的とする。
【０００２】
【従来の技術】
従来、染毛剤容器は、通常染毛剤第１剤と染毛剤第２剤が、各々２連式エアゾール容器内において、別々の容器に充填され一体として販売されている。第１剤は酸化染料であり、第２剤は第１剤の染料を酸化重合させる目的をもった、過酸化水素を含有する内容物である。このような従来の容器としては、特願２００３−２９４０９号に記載された技術がある。図５はこのような従来の２連式エアゾール容器１００を示すもので、２連式エアゾール容器１００は、酸化染料が主剤である内容物１０１を充填した内筒１０２を内装した第１剤容器１０３と、染料を酸化重合させる過酸化水素を主成分とする内容物２０１を充填した内筒２０２を内装した第２剤容器２０３を、一対として構成したものである。各々の充填物を同時に吐出させる吐出口１０４を持つ一体形容器タイプの２連式エアゾール容器１００である。この２連式エアゾール容器１００は、簡単な構造を有し、頭髪に均一に塗布でき、かつ頭皮を染着せずに染毛することができる。また使用時に垂れ落ちて地肌や衣服を汚染することもなく、手指も汚すことなく簡便に使用でき、さらには、必要な量だけ使用でき、使用しないときは、空気から遮断されるため、充填物の保存性にも優れた染毛剤または脱色剤用エアゾール容器である。使用する際には、第１剤容器１０３の内筒１０２内に充填された染毛剤第１剤である内容物１０１と、第２剤容器２０３の内筒２０２内に充填された染毛剤第２剤である内容物２０１を、各々別個の容器１０３、２０３から排出し、混合して連結体１０５の吐出口１０４から出すことにより、ブラシ上に取り、染毛剤を塗布することができる。
【０００３】
そして、従来、内筒１０２、２０２が低密度ポリエチレンや直鎖状低密度ポリエチレンで構成される場合において、内容物が１０１、２０１の染毛剤等である場合、長期間内容物が内筒１０２、２０２に充填されて保存されると、内筒１０２、２０２が内容物によって酸化され劣化するために、内筒１０２、２０２にクラックが発生し、内容物が内筒１０２、２０２から漏れ出すという欠点があった。特に、第２剤に充填された過酸化水素を主成分としている第２剤容器２０３の内筒２０２が、分解して発生する酸素により劣化するため、引張り強さ、伸び率等の物性が経時的に大きく低下するという問題があった。そこで、この問題を解決するため、特願２００３−２９４０９号には、以下に示す素材の内筒が開示されている。すなわち、図６に示す、酸化染料を充填する第１剤容器１０３の内筒１０２（図５のＸ矢視の拡大断面図）は、直鎖状低密度ポリエチレンを素材とし、かつ第７図に示す、第１剤の染料を酸化重合させる目的をもった過酸化水素を含有する内容物を充填する第２剤容器２０３の内筒２０２（図５のＹ矢視の拡大断面図）は、メタロセン系直鎖状低密度ポリエチレンと低密度ポリエチレンとを混合した合成樹脂材料を素材としていた。
【０００４】
【発明が解決しようとする課題】
しかしながら、第１剤容器１０３の内筒１０２を直鎖状低密度ポリエチレンとし、第２剤容器２０３内筒２０２を、メタロセン系直鎖状低密度ポリエチレンと低密度ポリエチレンとを混合した合成樹脂とすることは、異なる素材の内筒を各々製造しなければならない欠点があり、量産過程において内筒の管理が煩雑になると共に、直鎖状低密度ポリエチレンや、メタロセン系直鎖状低密度ポリエチレンをベースに低密度ポリエチレンを混合した合成樹脂は、成形性に欠けかつ製造コストが高いという欠点があった。
【０００５】
この発明は、このような従来の課題に着目してなされたもので、内容物に影響を受けない、耐内容物性の高いエアゾール容器の内筒に関し、第１剤と第２剤の内筒の材質を統一化することにより、生産効率の向上を図ると共に、成形性及び製造コストの低減を図ったエアゾール容器の内筒を提供することを目的とする。
【０００６】
【課題を解決するための手段】
この課題を解決するため、請求項１記載の発明に対応する手段は、内筒が、直鎖状低密度ポリエチレンに、高分子系の酸化防止剤を混合した合成樹脂で構成されることを特徴とするエアゾール容器の内筒である。
【０００７】
請求項２記載の発明に対応する手段は、内部に、染毛剤第１剤または脱色剤第１剤を充填した内筒を有する第１剤容器と、染毛剤第２剤または脱色剤第２剤を充填した内筒を有する第２剤容器が同時に内装され、前記２種類の充填物を同時に抽出させる排出口を持つことを特徴とする一体容器において、前記第１剤容器および第２剤容器の内筒が、直鎖状低密度ポリエチレンに、高分子系の酸化防止剤を混合した合成樹脂で構成されることを特徴とする２連式エアゾール容器の内筒である。
【０００８】
【発明の実施の形態】
図１（ａ）（ｂ）は、各々この発明に係るエアゾール容器１、１１の内筒３を示す断面図である。図１（ａ）（ｂ）に示す本発明に係るエアゾール容器１、１１内に内装される内筒３の特徴を図３に示す。図３に示す第１実施の形態は、内筒３を構成する素材が、直鎖状低密度ポリエチレンに、高分子系の酸化防止剤を混合した合成樹脂で構成されている点にある。図３に示すように層構成は単層である。そして、図１（ａ）に示すエアゾール容器１の実施形態（以下「内バメ式エアゾール容器」という）は、バルブ５を、外筒１ａの開口部１ｂの括部１ｃに装着した後、この開口部１ｂをバルブ５の天面にて内側に折曲することにより、バルブ５を固定するタイプのエアゾール容器である。そして、このエアゾール容器１内には、染毛剤等の内容物８が充填されている内筒３が挿入されている。内筒３の口部３ａは、バルブ５とエアゾール容器１の括部１ｃの間に挟着され、底部３ｂは外筒１ａの底部に当接されている。
【０００９】
次に、図１（ｂ）に示すエアゾール容器１１の実施形態（以下「外バメ式エアゾール容器」という）は、バルブ６を、外筒１１ａの開口部１１ｂの括部１１ｃに装着した後、上方からカバー７を被せて、その端部を括部１１ｃに外側からカシメることにより、バルブ６を外筒１１ａの開口部１１ｂに固定するものである。なお、内筒３内の内容物を押圧するプロペラント９は、各々開口部１ｂ、１１ｂとバルブ５、６の隙間からエアゾール容器１、１１内に充填される。又内バメ式エアゾール容器及び外バメ式エアゾール容器の外筒１ａ、１１ａの内面には、各々容器の腐食を防止するために、ポリアミドイミド、エポキシフェノール、エポキシユリア又はビニルオルガノゾル等の合成樹脂の内面塗料が塗布されている。
【００１０】
図２は、本発明の第２実施の形態を示すもので、２０は２連式エアゾール容器である。
この２連式エアゾール容器２０は、第１剤容器２１、第２剤容器２２及び連結体２３とから構成されている。すなわち、酸化染料が主剤である内容物８ａを充填した内筒３を内装した第１剤容器２１と、染料を酸化重合させる過酸化水素を主成分とする内容物８ｂを充填した内筒３を内装した第２剤容器２２とを、一対として構成したものである。各々の充填物を同時に吐出させる吐出口２４を持つ一体形容器タイプの２連式エアゾール容器２０である。第２実施の形態は、このような第１剤容器２１及び第２剤容器２２の内筒３の素材が、直鎖状低密度ポリエチレンに、高分子系の酸化防止剤を混合した合成樹脂で構成されたものである。
なお、第２実施の形態は、内筒３の底部３ｂが共に第１剤容器２１及び第２剤容器２２の底部に当接している。他の実施の形態として、内筒３の底部３ｂが、第１剤容器２１及び第２剤容器２２の底部に当接しないで、懸吊された状態の二重エアゾール容器であってもよい。又この２連式エアゾール容器２０を構成する第１剤容器２１及び第２剤容器２２は、図１（ａ）に示す内バメ式エアゾール容器、又は図１（ｂ）に示す外バメ式エアゾール容器のいずれのタイプのエアゾール容器が組み合わされたものであってもよい。
【００１１】
図４は、本発明の第３実施の形態を示すもので、エアゾール容器３１の開口がネッキング加工により絞られ、開口先端にビード部が形成された、通常のエアゾール容器３１の内筒３３内に、染毛剤等の内容物３８を充填したものであり、この内筒３３が、本発明に係る直鎖状低密度ポリエチレンに、高分子系の酸化防止剤を混合した合成樹脂で構成されている実施の形態である。
【００１２】
次に、本発明に係る内筒を構成する素材と、従来の内筒を構成する素材との試験結果を以下に示す。
＜試験条件＞
試料をプレス加工して、厚さ０．５ｍｍシートとし、打ち抜きによりＪＩＳ３号ダンベルを作成した。これを５％過酸化水素水が入った試験管に入れて、５０℃で加熱し、１ヶ月、２ヶ月及び３ヶ月後に、引張試験機で引張試験を行った。そして、試料の酸化劣化の状態を比較した。
＜試験結果＞
【表１】
2005015017.tif 000003
上記試験結果の表１より、内筒を構成する材質の伸び率を比較した場合、従来の直鎖状低密度ポリエチレン単体の素材で造られた内筒と、本発明に係る高分子系の酸化防止剤を混合した直鎖状低密度ポリエチレンの素材で造られた内筒とは、１ヶ月経過後において、引張破壊応力に大きな差があり、又伸び率においても大きな差がみられた。そして、高分子系の酸化防止剤を混合した直鎖状低密度ポリエチレンの素材で造られた内筒は、３ヶ月経過後においても酸化劣化はみられなかった。
【００１３】
【発明の効果】
以上説明してきたように、この発明に係る内筒は、経時的に染毛剤等の内容物による酸化劣化の影響を受けず、劣化を防止した耐内容物性が高いという効果を有する。そして、内筒に、染毛剤等の内容物を充填した場合であっても、内筒のクラック発生及び内筒から内容物が漏れ出すのを防止することができる効果を有する。又１剤と第２剤の内筒の材質を統一化でき、生産効率の向上を図ることができると共に、成形性及び製造コストの低減を図ることができる。
【図面の簡単な説明】
【図１】この発明に係る第１実施の形態を示す、エアゾール容器（ａ）（ｂ）及び内筒を示す断面図。
【図２】この発明に係る第２実施の形態を示す、２連式エアゾール容器の内筒を示す断面図。
【図３】図１及び図２のＡ失祖部の拡大断面図。
【図４】この発明に係る第３実施の形態を示す断面図。
【図５】従来の２連式エアゾール容器の内筒を示す断面図。
【図６】図５のＸ失祖部の拡大断面図。
【図７】図５のＹ失祖部の拡大断面図。
【符号の説明】
１  １１  エアゾール容器
３  ３３  内筒
２０  ２連式エアゾール容器
２１  第１剤容器
２２  第２剤容器
２４  排出口
【図１】
2005015017.tif 000004
【図２】
2005015017.tif 000005
【図３】
2005015017.tif 000006
【図４】
2005015017.tif 000007
【図５】
2005015017.tif 000008
【図６】
2005015017.tif 000009
【図７】
2005015017.tif 000010